(57)【要約】【課題】空気中の臭気成分を除去する脱臭装置に関し、長期間にわたり安定した脱臭性能の維持を図る。【解決手段】ファン１２により流動される空気が通過する脱臭剤を保持したハニカム状フィルター１５を複数層で構成し、ファン１２に近づくにしたがってフィルタ１５の単位面積当たりのセル数を多くしたもので、長期間に亘って脱臭性能を維持できる。【選択図】  図１
2004267465.tif 000002
【特許請求の範囲】
【請求項１】
ファンと前記ファンにより流動される空気が通過する脱臭剤を保持した複数層のハニカム状フィルターより構成され、空気流入側の前記フィルターの単位面積当たりセル数を空気流出側の前記フィルターのセル数より少なくした脱臭装置。
【請求項２】
ファンと前記ファンにより流動される空気が通過する脱臭剤を保持した複数層のハニカム状フィルターより構成され、空気流入側の前記フィルターの開口面積を空気流出側の前記フィルターの開口面積より小さくした脱臭装置。
【請求項３】
ファンと前記ファンにより流動される空気が通過する脱臭剤を保持した複数層のハニカム状フィルターより構成され、空気流入側の前記フィルターの空気通過方向フィルター幅を空気流出側の前記フィルターの空気通過方向フィルター幅より狭くした脱臭装置。
【発明の詳細な説明】
【０００１】
【発明の属する技術分野】
本発明は、空気中の臭気成分を除去する脱臭装置に関する。
【０００２】
【従来の技術】
近年、生活空間の快適性向上のニーズは高まる一方であり、特に居住する環境における空気質の高品位化を図るための脱臭機が普及し始めている（例えば、特許文献１参照。）。
【０００３】
以下、図面を参照しながら上記従来の脱臭装置を説明する。
【０００４】
図４は、従来の脱臭装置斜視組立図。図４に示すように、従来の脱臭装置は脱臭装置本体１と脱臭装置本体１に収納された送風ファン２と、吸込口カバー３、除じんフィルター４、脱臭剤を保持したフィルター５と脱臭装置１に配設された吹き出し口６により構成される。
【０００５】
以上のように構成された従来の脱臭装置について、以下その動作を説明する。
【０００６】
送風ファン２により、空気は図中の白抜き矢印の如く流れ、空気中の粉じんは除じんフィルター４で除去され、フィルター５に到達し脱臭された後、吹き出し口６より排出される。
【０００７】
【特許文献１】
特開平０５−３１７３９２号公報
【０００８】
【発明が解決しようとする課題】
しかしながら、上記従来の構成は、フィルター５が均一構造体であるため、脱臭負荷の大きいフィルター５の空気流入側面の性能が短期間で低下し、脱臭性能の低下が著しいという欠点があった。
【０００９】
本発明は上記従来の課題を解決するもので、長期間に渡り安定した脱臭性能を維持できる脱臭装置を提供することを目的とする。
【００１０】
【課題を解決するための手段】
本発明の請求項１に記載の脱臭装置の発明は、ファンと前記ファンにより流動される空気が通過する脱臭剤を保持した複数層のハニカム状フィルターより構成され、空気流入側の前記フィルターの単位面積当たりセル数を空気流出側の前記フィルターのセル数より少なくしたことにより、フィルターへの負荷を均一にできるため短期間での著しい脱臭性能の低下がなく、長期間に渡り安定した脱臭性能を維持できるという作用を有する。
【００１１】
また、請求項２に記載の脱臭装置の発明は、ファンと前記ファンにより流動される空気が通過する脱臭剤を保持した複数層のハニカム状フィルターより構成され、空気流入側の前記フィルターの開口面積を空気流出側の前記フィルターの開口面積より小さくしたことにより、フィルターへの負荷を均一にできるため短期間での著しい脱臭性能の低下がなく、長期間に渡り安定した脱臭性能を維持できるという作用を有する。
【００１２】
また、請求項３に記載の脱臭装置の発明は、ファンと前記ファンにより流動される空気が通過する脱臭剤を保持した複数層のハニカム状フィルターより構成され、空気流入側の前記フィルターの空気通過方向フィルター幅を空気流出側の前記フィルターの空気通過方向フィルター幅より狭くしたことにより、フィルターへの負荷を均一にできるため短期間での著しい脱臭性能の低下がなく、長期間に渡り安定した脱臭性能を維持できるという作用を有する。
【００１３】
【発明の実施の形態】
以下、本発明による脱臭装置の一実施の形態について、図面を参照しながら説明する。
【００１４】
（実施の形態１）
図１は本発明の実施の形態１による脱臭装置斜視組立図である。
【００１５】
図１に示すように、本実施の形態の脱臭装置は、脱臭装置本体１１と脱臭装置本体１１に収納された送風ファン１２と、吸込口カバー１３、除じんフィルター１４、脱臭剤を保持したフィルター１５ａ，１５ｂ，１５ｃと吹き出し口１６により構成される。
【００１６】
以上のように構成された本実施の形態の脱臭装置について、以下その動作を説明する。
【００１７】
送風ファン１２により、空気は図中の白抜き矢印の如く流れ、空気中の粉じんは除じんフィルター１４で除去され、脱臭剤を保持した３層のハニカム状フィルター１５ａ，１５ｂ，１５ｃに到達し脱臭された後、吹き出し口１６より排出される。このとき、空気流入側のフィルター１５ａ、中間のフィルター１５ｂ、空気流出側のフィルター１５ｃの空気が通過する単位面積当たりセル数を、フィルター１５ａ＜フィルター１５ｂ＜フィルター１５ｃとしたため、フィルター１５ａ，１５ｂ，１５ｃへの負荷を均一にできる。
【００１８】
以上のように本実施の形態の脱臭装置は、空気流入側から流出側にかけてのフィルター１５ａ，１５ｂ，１５ｃの単位面積当たりセル数をフィルター１５ａ＜フィルター１５ｂ＜フィルター１５ｃにしたことにより、フィルター１５ａ，１５ｂ，１５ｃへの負荷を均一にできるため短期間での著しい脱臭性能の低下がなく、長期間に渡り安定した脱臭性能を維持できる脱臭装置を提供できる。
【００１９】
（実施の形態２）
図２は本発明の実施の形態２による脱臭装置斜視組立図である。
【００２０】
図２に示すように、本実施の形態の脱臭装置は、脱臭装置本体２１と脱臭装置本体２１に収納された送風ファン２２と、吸込口カバー２３、除じんフィルター２４、脱臭剤を保持したフィルター２５ａ，２５ｂ，２５ｃと吹き出し口２６により構成される。
【００２１】
以上のように構成された本実施の形態の脱臭装置について、以下その動作を説明する。
【００２２】
送風ファン２２により、空気は図中の白抜き矢印の如く流れ、空気中の粉じんは除じんフィルター２４で除去され、脱臭剤を保持した３層のハニカム状フィルター２５ａ，２５ｂ，２５ｃに到達し脱臭された後、吹き出し口２６より排出される。このとき、空気流入側のフィルター２５ａ、中間のフィルター２５ｂ、空気流出側のフィルター２５ｃの空気が通過する開口面積を、フィルター２５ａ＜フィルター２５ｂ＜フィルター２５ｃとしたため、フィルター２５ａ，２５ｂ，２５ｃへの負荷を均一にできる。
【００２３】
以上のように本実施の形態の脱臭装置は、空気流入側から流出側にかけてのフィルター２５ａ，２５ｂ，２５ｃの開口面積の大きさをフィルター２５ａ＜フィルター２５ｂ＜フィルター２５ｃにしたことにより、フィルター２５ａ，２５ｂ，２５ｃへの負荷を均一にできるため短期間での著しい脱臭性能の低下がなく、長期間に渡り安定した脱臭性能を維持できる脱臭装置を提供できる。
【００２４】
（実施の形態３）
図３は本発明の実施の形態３による脱臭装置斜視組立図である。
【００２５】
図３に示すように、本実施の形態の脱臭装置は、脱臭装置本体３１と脱臭装置本体３１に収納された送風ファン３２と、吸込口カバー３３、除じんフィルター３４、脱臭剤を保持したフィルター３５と吹き出し口３６により構成される。
【００２６】
以上のように構成された本実施の形態の脱臭装置について、以下その動作を説明する。
【００２７】
送風ファン３２により、空気は図中の白抜き矢印の如く流れ、空気中の粉じんは除じんフィルター３４で除去され、脱臭剤を保持した３層のハニカム状フィルター３５ａ，３５ｂ，３５ｃに到達し脱臭された後、吹き出し口３６より排出される。このとき、空気流入側のフィルター３５ａ、中間のフィルター３５ｂ、空気流出側のフィルター３５ｃの空気が通過方向フィルター幅３６ａ，３６ｂ，３６ｃを、フィルター幅３６ａ＜フィルター幅３６ｂ＜フィルター幅３６ｃとしたため、フィルターへ３５ａ，３５ｂ，３５ｃの負荷を均一にできる。
【００２８】
以上のように本実施の形態の脱臭装置は、空気流入側から流出側にかけてのフィルター３５ａ，３５ｂ，３５ｃのフィルター幅３６ａ，３６ｂ，３６ｃをフィルター幅３６ａ＜フィルター幅３６ｂ＜フィルター幅３６ｃにしたことにより、フィルター３５ａ，３５ｂ，３５ｃへの負荷を均一にできるため短期間での著しい脱臭性能の低下がなく、長期間に渡り安定した脱臭性能を維持できる脱臭装置を提供できる。
【００２９】
【発明の効果】
以上説明したように請求項１に記載の発明は、ファンと前記ファンにより流動される空気が通過する脱臭剤を保持した複数層のハニカム状フィルターより構成され、空気流入側の前記フィルターの単位面積当たりセル数を空気流出側の前記フィルターのセル数より少なくしたことにより、フィルターへの負荷を均一にできるため短期間での著しい脱臭性能の低下がなく、長期間に渡り安定した脱臭性能を維持できる脱臭装置を提供できる。
【００３０】
また、請求項２に記載の発明は、ファンと前記ファンにより流動される空気が通過する脱臭剤を保持した複数層のハニカム状フィルターより構成され、空気流入側の前記フィルターの開口面積を空気流出側の前記フィルターの開口面積より小さくしたことにより、フィルターへの負荷を均一にできるため短期間での著しい脱臭性能の低下がなく、長期間に渡り安定した脱臭性能を維持できる脱臭装置を提供できる。
また、請求項３に記載の発明は、ファンと前記ファンにより流動される空気が通過する脱臭剤を保持した複数層のハニカム状フィルターより構成され、空気流入側の前記フィルターの空気通過方向フィルター幅を空気流出側の前記フィルターの空気通過方向フィルター幅より狭くしたことにより、フィルターへの負荷を均一にできるため短期間での著しい脱臭性能の低下がなく、長期間に渡り安定した脱臭性能を維持できる脱臭装置を提供できる。
【図面の簡単な説明】
【図１】本発明による脱臭装置の実施の形態１の斜視組立図
【図２】本発明による脱臭装置の実施の形態２の斜視組立図
【図３】本発明による脱臭装置の実施の形態３の斜視組立図
【図４】従来の脱臭装置の斜視組立図
【符号の説明】
１２，２２，２３  ファン
１５ａ，１５ｂ，１５ｃ，２５ａ，２５ｂ，２５ｃ，３５ａ，３５ｂ，３５  フィルター
３６ａ，３６ｂ，３６ｃ  フィルター幅
【図１】
2004267465.tif 000003
【図２】
2004267465.tif 000004
【図３】
2004267465.tif 000005
【図４】
2004267465.tif 000006